(57)【要約】【課題】ロッドの表面を滑らかとして髪の焼き切れが生じにくい回転型ヘアアイロンを提供する。【解決手段】ヘアアイロン１は、アルミニウムなら成るロッド２と、このロッド２に対して開閉自在に設けたグローブ３を備える。ロッド２の表面をアルマイト処理して酸化皮膜からなる皮膜層２５を形成する。これにより、ロッド２の摩擦抵抗が低減し、ロッド２の表面が滑らかとなり、髪にウェーブを与えたりカールさせる際、ロッド２に髪が引っ掛かって髪を痛める心配が無い。【選択図】　　図１
0003098985.tif 000002
【実用新案登録請求の範囲】
【請求項１】
ヘアアイロンの柄部にヒータを内蔵するロッドを突出させ、このロッドに支持体を回動自在に組み付けるとともに、該支持体に前記ロッドに対して開閉するグローブを軸支し、このグローブの回転により、前記ロッドとグローブで挟み付けた髪を巻き付ける回転型ヘアアイロンにおいて、ロッドの表面に滑らかな皮膜層を形成したことを特徴とする回転型ヘアアイロン。
【請求項２】
前記ロッドがアルミニウムから成り、このロッドをアルマイト処理して酸化皮膜層を形成することによって前記皮膜層を形成してなることを特徴とする請求項１記載の回転型ヘアアイロン。
【請求項３】
前記ロッドの表面にガラス繊維なら成る粉体を付着させて微細な凹凸部を形成するとともに、この凹凸部を覆うように前記皮膜層を形成したことを特徴とする請求項１又は２記載の回転型ヘアアイロン。
【請求項４】
前記柄部の内部に前記グローブの回転機構を組み込むとともに、前記柄部に前記回転機構を覆うカバー部を設けたことを特徴とする請求項１記載の回転型ヘアアイロン。
【考案の詳細な説明】
【０００１】
【産業上の利用分野】
本考案は、グローブを回転させてロッドとグローブとの間に挟んだ髪をカールさせる回転型ヘアアイロンに関する。
【０００２】
【従来の技術】
従来、この種のヘアアイロンとして実公平２−２６４０１号公報には、グローブを機構的に回転させ、グローブとロッドで挟んだ髪の巻き付ける回転電動アイロンが提案されている。この回転電動アイロンは、ヒータを内蔵するロッドをアイロンの柄部から突出させ、このロッドに回動自在に外装する支持体にグローブを起伏自在に軸支するとともに、支持体とグローブとの間にはグローブを閉方向に付勢して髪を挟み付けるためのトーションばねが組み込まれている。そして、ロッドとグローブとの間に髪を挟み付けたまま柄部に内蔵するモータによりグローブのみを回転させ、髪を巻き付けるように構成している。
【０００３】
このような回転電動アイロンは、グローブを機構的に回転させることで、髪の巻き込みを簡単に行えるものであるが、髪を巻きつけるロッドの材質としてステンレスや鉄などによって成形したものが多い。このような素材で成形したロッドは表面が粗く、ロッドを回転させて髪を巻き付け際、ロッドに髪に絡まりやすい。また、ロッドの表面をテフロン（登録商標）加工したものも知られているが、テフロン（登録商標）加工を施したものであってもその表面がザラザラとした凸凹があり、やはりロッドに髪に引っかかりやすいという傾向がある。このため、グローブを回転させて髪をカールさせる際、髪が焼き切れることがあった。
【０００４】
本考案は、このような問題点を解決しようとするもので、ロッドの表面を滑らかとして髪の焼き切れが生じにくい回転型ヘアアイロンを提供することを目的とする。
【０００５】
【課題を解決するための手段】
本考案の請求項１の回転型ヘアアイロンは、ヘアアイロンの柄部にヒータを内蔵するロッドを突出させ、このロッドに支持体を回動自在に組み付けるとともに、該支持体に前記ロッドに対して開閉するグローブを軸支し、このグローブの回転により、前記ロッドとグローブで挟み付けた髪を巻き付ける回転型ヘアアイロンにおいて、ロッドの表面に滑らかな皮膜層を形成したものである。
【０００６】
上記構成により、髪をセットする際、ヘアアイロンの柄部を握って指先で操作レバーを押し下げることによって、グローブが開き、操作レバーから指先を離すことによって、グローブとロッドとの間に髪を挟み付けられる。ロッドとグローブで挟み付けられた髪はグローブの回転により巻き付けられ、髪にウェーブを与えたりカールさせるようにセットできる。この時、ロッドの表面に滑らかな皮膜層を形成することによって、ロッドの摩擦抵抗が低減し、ロッドに髪が引っ掛かって髪を痛める心配が無い。
【０００７】
本考案の請求項２の回転型ヘアアイロンは、前記請求項１記載の回転型ヘアアイロンにおいて、前記ロッドがアルミニウムから成り、このロッドをアルマイト処理して酸化皮膜層を形成することによって前記皮膜層を形成してなるものである。
【０００８】
上記構成により、ロッドをアルマイト処理することによって、ロッドの表面に滑らかな酸化皮膜層が形成され、ロッドの摩擦抵抗が低減するとともに、ロッドの表面に硬質な酸化皮膜層が形成される。
【０００９】
本考案の請求項３の回転型ヘアアイロンは、請求項１又は２記載の回転型ヘアアイロンにおいて、前記ロッドの表面にガラス繊維なら成る粉体を付着させて微細な凹凸部を形成するとともに、この凹凸部を覆うように前記皮膜層を形成したものである。
【００１０】
上記構成により、ロッドの表面に微細な凹凸部が形成され、グローブの回転によりロッドに髪が適度に絡むものの、ロッドの表面が滑らかであるから、ロッドに髪が引っ掛かることがない。
【００１１】
本考案の請求項４の回転型ヘアアイロンは、請求項１記載の回転型ヘアアイロンにおいて、前記柄部の内部に前記グローブの回転機構を組み込むとともに、前記柄部に前記回転機構を覆うカバー部を設けたものである。
【００１２】
上記構成により、回転機構の回転時に生じる磨耗粉などがカバー部に溜り、外部に流失しない。
【００１３】
【考案の実施形態】
以下、本考案の実施例を添付図面を参照して説明する。図１〜図４は、本考案の第１実施例を示し、同図において１はヘアアイロンであり、このヘアアイロン１は、ロッド２と、このロッド２に対して開閉自在に設けた金属製のグローブ３と、合成樹脂からなる中空状の柄部４とから構成されている。
【００１４】
前記ロッド２は、前記柄部４の先端から突出するように柄部４を貫通する軸部２Ａと、その軸部２Ａの先端に固定される加熱部２Ｂとに分割され、加熱部２Ｂの内部にセラミックヒータ２Ｈを内蔵している。また、加熱部２Ｂの基部は径大な台座部２Ｄに分割され、この台座部２Ｄに前記軸部２Ａの先端が一体的に固定されるとともに、柄部４の内部に軸部２Ａの基端部を固定する取付杆５が設けられている。また、加熱部２Ｂと台座部２Ｄとは、加熱部２Ｂの内周面に台座部２Ｄの外周面を嵌合して接着固定している。この時、加熱部２Ｂの内周面に形成する段差凹部２Ｅと台座部２Ｄの外周面に突設するフランジ部２Ｆとの間にＯリング２Ｊに圧縮させている。このようにして、加熱部２Ｂと台座部２Ｄとを一体的に固定するとともに、前記ロッド２の軸部２Ａの外周には回動自在なスリーブ６を同軸的に外装している。また、前記柄部４の先端側には前記スリーブ６を回動自在に軸支する軸受部材７が固定されている。さらに柄部４から突出する前記スリーブ６の先端側には前記グローブ３を軸支するための支持体８が一体的に取付固定されている。９は前記スリーブ６の基端に一体的に固着された傘歯車からなる従動ギアであり、前記柄部４に内蔵するモータ１０の出力軸にも同じく傘歯車からなる駆動ギア１１が固着されている。これら従動ギア９と駆動ギア１１とは、傘歯車からなる中継ギア１２に噛み合い、この中継ギア１２を介してモータ１０の回転を前記ロッド２に外装したスリーブ６に伝達している。なお、前記中継ギア１２は前記ロッド２を固定する取付杆５に軸支されている。そして、これら従動ギア９，１１，１２によってグローブ３の回転機構を構成している。
【００１５】
前記グローブ３は、金属板を折曲して形成され、図３に示すように、スリーブ６の基部両側には前記支持体８を左右から挟む側板３Ａが相対向して一体に垂設され、この各側板６Ａ間に掛け渡した支軸１３によって前記支持体８に前記グローブ３を起伏自在に軸支している。また、このグローブ３を開閉操作する操作レバー１４は、前記柄部４の先端側に支軸１５によって起伏自在に軸支され、この操作レバー１４と当接する係合部たる筒体１６が前記スリーブ６に回動自在に外装されている。この筒体１６の前面周縁と後端寄りにはそれぞれ相対向するフランジ１７，１８が突設されている。この両フランジ１７，１８間には前記グローブ３の側板３Ａから内側に折り曲げた折曲片３Ｂが挿入され、この折曲片３Ｂと筒体１６により筒体１６とグローブ３とが係合する。また、前記筒体１６と前記支持体８との間には前記スリーブ６に外装して前後方向にスライドする付勢部材となるばね１９が介在し、このばね１９によって前記筒体１６が柄部４の先端側に軸支した操作レバー１４に押し付けられている。また、前記ばね１９によって前記筒体１６が後方側に付勢されているため、この筒体１６のフランジ１７，１８と係合するグローブ３が常に閉じる方向に付勢される。また、柄部４には従動ギア９，１１，１２の取付位置に対応して下側に膨らんだカバー部４Ａを形成している。なお、図中２０は柄部４に設けた操作スイッチ、２１は停止スイッチ、２２は電源コードであり、この電源コードの途中にセラミックヒータ２Ｈをオン・オフするためのスイッチやヒータ温度を調節するコントロールスイッチなどが設けてある。
【００１６】
以上のように構成されるヘアアイロン１は、ロッド２の加熱部２Ｂと、この加熱部２Ｂに一体的に固定する台座部２Ｄがアルミニウムからなり、この加熱部２Ｂと台座部２Ｄをアルマイト処理することによって表面に滑らかな皮膜層２５を形成している。すなわち、０℃から５℃程度の温度で２０％の硫酸液にロッド２の加熱部２Ｂと台座部２Ｄを浸漬させて電気通電することにより、その表面に２５〜１５０μｍの酸化皮膜を形成し、この酸化皮膜によって前記皮膜層２５を形成している。このように、ロッド２の表面をアルマイト処理して酸化皮膜からなる皮膜層２５を形成することによって、ロッド２の表面が滑らかとなるとともに、硬質な皮膜層２５が形成さることになり、ロッド２の損傷も防止することができる。
【００１７】
そして、ヘアアイロン１の使用に際し、まずヘアアイロン１の柄部４を握って電源コード２３に設けた図示しないスイッチによりセラミックヒータ２Ｈに通電し、コントロールスイッチによりヒータ温度を調節する。そして、指先で操作レバー１４を押し下げることによって、操作レバー１４に係合する筒体１６をばね１９に抗して押し出す。このとき、スリーブ６に外装した筒体１６が前方側にスライドし、筒体１６の両フランジ１７，１８とグローブ３の折曲片３Ｂとの係合により、グローブ３が支軸１３を中心としてロッド２から離れる方向に回転して開く。なお、グローブ３は、操作レバー１４から指先を離すことによって、ばね１９により閉じ、グローブ３とロッド２との間に髪を挟み付けることができる。そして、柄部４に設けた操作スイッチ２０を操作し、柄部４の内部に設けたモータ１０を回転させる。このモータ１０の回転は、その出力軸に固着した駆動ギア１１の回転を中継ギア１２を介して従動ギア９に分岐伝達し、従動ギア９に一体的に固定したスリーブ６がロッド２を中心として回転する。このスリーブ６の回転によりスリーブ６に一体的に固定した支持体８と、この支持体８に軸支したグローブ３とがスリーブ６と同体的に回転する。なお、スリーブ６を貫通して取付杆５に固定したロッド２は回転しない。つまり、モータ１０の回転により、グローブ３がロッド２の周囲を回転し、ロッド２とグローブ３との間に挟み付けた髪を巻き付ける。これにより髪にウェーブを与えたりカールさせるようにセットすることができる。また、グローブ３を開閉操作する操作レバー１４は柄部４の先端側に軸支されているため、図４に示すように操作レバー１４の取付位置は変わらない。したがって、グローブ３を回転しても操作レバー１４がグローブ３と一体的に回転しないから、停止スイッチ２１の操作により、グローブ３を停止させたとしても、そのグローブ３の停止位置に拘らず操作レバー１４の位置は変わらない。しかも、操作レバー１４とグローブ３とがスリーブ６に軸支された筒体１６を介して常に係合状態となっており、操作レバー１４の操作によりグローブ３を確実に開閉操作することができる。そして、本考案では、ロッド２の表面をアルマイト処理して酸化皮膜からなる皮膜層２５が形成されているから、ロッド２の表面が滑らかとなる。これにより、グローブ３とロッド２との間に髪を挟み付けてグローブ３を回転させて髪にウェーブを与えたりカールさせる際、ロッド２に髪が引っ掛かって髪を痛める心配が無い。また、ロッド２の表面が硬質な皮膜層２５で覆われるから、ロッド２の損傷も防止することができる。さらに、グローブ３の回転機構を構成する従動ギア９と駆動ギア１１及び中継ギア１２を覆うように柄部４に膨出したカバー部４Ａを形成することによって、これらギア９，１１，１２の回転時に生じる磨耗粉などがカバー部４Ａに溜り、ロッド２の加熱部２に入り込むなど、他の機構に悪影響を及ぼすこともない。
【００１８】
図５は本考案の第２実施例を示し、前記第１実施例と同一機能を有する部分には同一符号を付し、重複する部分の説明を省略し、異なる部分についてのみ説明する。本実施例では、ロッド２の加熱部２Ａと台座部２Ｄの表面にガラス繊維から成る粉体３０を付着させ、その後、アルマイト処理している。これにより、ロッド２の表面には粉体３０によって微細な凹凸部３１が形成され、さらに、その凹凸部３１が滑らかな皮膜層３５で覆われることになる。
【００１９】
以上のように本実施例では、ガラス繊維から成る粉体３０によってロッド２の表面に微細な凹凸部３１を形成することによって、グローブ３とロッド２との間に髪を挟み付けて回転させる際、ロッド２に髪が適度に絡むものの、凹凸部３１の表面が滑らかな皮膜層３５で覆われているため、ロッド２に髪が引っ掛かることがない。これにより、効果的に髪にウェーブを与えたりカールさせることができるとともに、ロッド２に髪が引っ掛かって髪を痛めることもない。
【００２０】
以上、本考案の実施例を詳述したが、本考案は、前記実施例に限定されるものではなく、本考案の要旨の範囲内で種々の変形実施が可能である。例えば、モータの回転をグローブに伝達する伝達手段や操作レバー，グローブの形状及び各スイッチの位置といったヘアアイロンの基本的構造などは適宜選定すればよい。また、支持体と筒体との間にばねを介在させて筒体を操作レバーに付勢させた例を示したが、操作レバーと柄部との間にばねを介在させることによって操作レバーを筒体に押し付けてもよい。また、付勢部材とコイル状のばねを示したが、巻きばねやトーションばねあるいは板ばねでもよい。
【００２１】
【考案の効果】
本考案の請求項１の回転型ヘアアイロンによれば、ヘアアイロンの柄部にヒータを内蔵するロッドを突出させ、このロッドに支持体を回動自在に組み付けるとともに、該支持体に前記ロッドに対して開閉するグローブを軸支し、このグローブの回転により、前記ロッドとグローブで挟み付けた髪を巻き付ける回転型ヘアアイロンにおいて、ロッドの表面に滑らかな皮膜層を形成したものであるから、グローブの回転により、髪にウェーブを与えたりカールさせる際、ロッドに髪が引っ掛かって髪を痛める心配が無い。
【００２２】
本考案の請求項２の回転型ヘアアイロンによれば、前記請求項１記載の回転型ヘアアイロンにおいて、前記ロッドがアルミニウムから成り、このロッドをアルマイト処理して酸化皮膜層を形成することによって前記皮膜層を形成してなるものであるから、ロッドをアルマイト処理することによって、ロッドに滑らかな皮膜層を簡単に形成することができる。また、ロッドをアルマイト処理するによって硬質な皮膜層が形成され、ロッドの損傷を防止することができる。
【００２３】
本考案の請求項３の回転型ヘアアイロンによれば、請求項１又は２記載の回転型ヘアアイロンにおいて、前記ロッドの表面にガラス繊維なら成る粉体を付着させて微細な凹凸部を形成するとともに、この凹凸部を覆うように前記皮膜層を形成したものであるから、グローブとロッドとの間に髪を挟み付けて回転させる際、微細な凹凸部によってロッドに髪が適度に絡むものの、表面に滑らかな皮膜層を形成することによって、ロッドに髪が引っ掛かることがない。これにより、効果的に髪にウェーブを与えたりカールさせることができるとともに、ロッドに髪が引っ掛かって髪を痛めることもない。
【００２４】
本考案の請求項４の回転型ヘアアイロンによれば、請求項１記載の回転型ヘアアイロンにおいて、前記柄部の内部に前記グローブの回転機構を組み込むとともに、前記柄部に前記回転機構を覆うカバー部を設けたものであるから、回転機構の回転時に生じる磨耗粉などがカバー部に溜り、外部に流失しない。
【図面の簡単な説明】
【図１】本考案の第１実施例を示すヘアアイロンの断面図である。
【図２】同上ロッド廻りの拡大断面図である。
【図３】同上ヘアアイロンの正面図である。
【図４】同上ヘアアイロンの側面図である。
【図５】本考案の第２実施例を示すロッド廻りの拡大断面図である。
【符号の説明】
１　ヘアアイロン
２　ロッド
３　グローブ
４　柄部
４Ａ　カバー部
９，１１，１２　ギア（回転機構）
２５，３５　皮膜層
３０　粉体
３１　凹凸部
【図１】
0003098985.tif 000003
【図２】
0003098985.tif 000004
【図３】
0003098985.tif 000005
【図４】
0003098985.tif 000006
【図５】
0003098985.tif 000007